【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
複数のネットワークインタフェースを有する外部装置と通信可能な情報処理装置であって、
外部装置を探索する探索処理を行う探索手段と、
前記探索手段による探索処理で見つかった外部装置から、該外部装置を一意に識別するための識別情報と該外部装置の装置情報を取得する取得手段と、
前記取得手段で取得した装置情報に基づき前記探索処理で見つかった外部装置を選択するための選択画面を表示する表示制御手段と、を有し、
前記表示制御手段は、同じ識別情報を有する２以上の外部装置が見つかった場合、当該見つかった同じ識別情報を有する２以上の外部装置を単一の選択候補として前記選択画面に表示することを特徴とする情報処理装置。
【請求項２】
前記探索手段による探索処理は、マルチキャスト通信もしくはブロードキャスト通信を用いて探索パケットを送信し、外部装置からの応答パケットを待ち受ける処理であることを特徴とする請求項１に記載の情報処理装置。
【請求項３】
前記取得手段は、前記探索処理で見つかった外部装置とＳＮＭＰ通信を行うことにより前記識別情報と前記装置情報を取得することを特徴とする請求項１または２に記載の情報処理装置。
【請求項４】
前記識別情報はＳＮＭＰエージェントを一意に特定するためのＳＮＭＰエンジンＩＤであることを特徴とする請求項１乃至３の何れか１項に記載の情報処理装置。
【請求項５】
前記装置情報は外部装置の製品名、ＭＡＣアドレス、ＩＰアドレスの少なくともいずれか１つを含むことを特徴とする請求項１乃至４の何れか１項に記載の情報処理装置。
【請求項６】
前記情報処理装置は、無線ネットワークインタフェースを更に有し、
前記探索手段で探索の対象となる外部装置は印刷装置であり、
前記探索手段は、ネットワーク上の印刷装置をマルチキャスト通信若しくはブロードキャスト通信で探索する第１の探索処理と、周辺のアクセスポイントを探索し当該周辺のアクセスポイントを識別するためのＳＳＩＤ（Ｓｅｒｖｉｃｅ Ｓｅｔ ｉｄｅｎｔｉｆｉｅｒ）を取得し、当該取得したＳＳＩＤに基づきアクセスポイントモードで動作している印刷装置を検索する第２の探索処理を行い、
前記第２の探索処理では、前記取得したＳＳＩＤの文字列が特定の条件を満たす文字列の場合に、当該取得したＳＳＩＤに対応するアクセスポイントが前記アクセスポイントモードで動作している印刷装置であると判断することを特徴とする請求項１に記載の情報処理装置。
【請求項７】
前記取得手段は、前記第２の探索処理で見つかった前記アクセスポイントモードで動作している印刷装置のＳＳＩＤを解析することで前記アクセスポイントモードで動作している印刷装置の前記装置情報と前記識別情報を取得することを特徴とする請求項６に記載の情報処理装置。
【請求項８】
前記印刷装置は無線ネットワークインタフェースと有線ネットワークインタフェースとを有し、前記アクセスポイントモードで動作している印刷装置は、外印刷装置が有する有線ネットワークインタフェースのＭＡＣアドレスと該印刷装置の製品名を含む文字列で構成されたＳＳＩＤで外部から識別されるアクセスポイントとして機能し、
前記取得手段は、前記アクセスポイントモードで動作している印刷装置のＳＳＩＤに含まれる製品名を前記装置情報として取得し、前記ＳＳＩＤに含まれる有線ネットワークインタフェースのＭＡＣアドレスを前記識別情報として取得することを特徴とする請求項７に記載の情報処理装置。
【請求項９】
前記選択画面を介して外部装置の選択操作を受け付けた場合に、前記表示制御手段は、当該選択操作で選択された外部装置のネットワーク設定を変更するための設定変更画面を表示することを特徴とする請求項１乃至７の何れか１項に記載の情報処理装置。
【請求項１０】
前記設定変更画面は、前記外部装置が有する各ネットワークインタフェースの設定を変更する操作を受け付けることが可能に構成されていることを特徴とする請求項９に記載の情報処理装置。
【請求項１１】
複数のネットワークインタフェースを有する外部装置と通信可能な情報処理装置のコンピュータに、
外部装置を探索する探索処理を行う探索工程と、
前記探索処理で見つかった外部装置から、該外部装置を一意に識別するための識別情報と該外部装置の装置情報を取得する取得工程と、
前記取得工程で取得した装置情報に基づき前記探索処理で見つかった外部装置を選択するための選択画面を表示する表示制御工程と、
を実行させるためのプログラムであって、
前記表示制御工程では、同じ識別情報を有する２以上の外部装置が見つかった場合、当該見つかった同じ識別情報を有する２以上の外部装置を単一の選択候補として前記選択画面を表示することを特徴とするプログラム。
【請求項１２】
前記探索工程における探索処理は、マルチキャスト通信もしくはブロードキャスト通信を用いて探索パケットを送信し、外部装置からの応答パケットを待ち受ける処理であることを特徴とする請求項１１に記載のプログラム。
【請求項１３】
前記取得工程では、前記探索処理で見つかった外部装置とＳＮＭＰ通信を行うことにより前記識別情報と前記装置情報が取得されることを特徴とする請求項１１又は１２に記載のプログラム。
【請求項１４】
前記識別情報はＳＮＭＰエージェントを一意に特定するためのＳＮＭＰエンジンＩＤであることを特徴とする請求項１１乃至１３の何れか１項に記載のプログラム。
【請求項１５】
前記装置情報は外部装置の製品名、ＭＡＣアドレス、ＩＰアドレスの少なくともいずれか１つを含むことを特徴とする請求項１１乃至１４の何れか１項に記載のプログラム。
【請求項１６】
前記情報処理装置は、無線ネットワークインタフェースを更に有し、
前記探索工程の前記探索処理において探索の対象となる外部装置は印刷装置であり、
前記探索工程では、ネットワーク上の印刷装置をマルチキャスト通信若しくはブロードキャスト通信で探索する第１の探索処理と、周辺のアクセスポイントを探索し当該周辺のアクセスポイントを識別するためのＳＳＩＤ（Ｓｅｒｖｉｃｅ Ｓｅｔ ｉｄｅｎｔｉｆｉｅｒ）を取得し、当該取得したＳＳＩＤに基づきアクセスポイントモードで動作している印刷装置を検索する第２の探索処理が行われ、
前記第２の探索処理は、前記取得したＳＳＩＤの文字列が特定の条件を満たす文字列の場合に、当該取得したＳＳＩＤに対応するアクセスポイントが前記アクセスポイントモードで動作している印刷装置であると判断する処理であることを特徴とする請求項１１に記載のプログラム。
【請求項１７】
前記取得工程では、前記第２の探索処理で見つかった前記アクセスポイントモードで動作している印刷装置のＳＳＩＤを解析することで、前記アクセスポイントモードで動作している印刷装置の前記装置情報と前記識別情報を取得することを特徴とする請求項１６に記載のプログラム。
【請求項１８】
前記印刷装置は無線ネットワークインタフェースと有線ネットワークインタフェースとを有し、前記アクセスポイントモードで動作している印刷装置は、外印刷装置が有する有線ネットワークインタフェースのＭＡＣアドレスと該印刷装置の製品名を含む文字列で構成されたＳＳＩＤで外部から識別されるアクセスポイントとして機能し、
前記取得工程では、前記アクセスポイントモードで動作している印刷装置のＳＳＩＤに含まれる製品名を前記装置情報として取得し、前記ＳＳＩＤに含まれる有線ネットワークインタフェースのＭＡＣアドレスを前記識別情報として取得することを特徴とする請求項１７に記載のプログラム。
【請求項１９】
前記コンピュータに、
前記選択画面を介して外部装置の選択操作を受け付けた場合に、当該選択操作で選択された外部装置のネットワーク設定を変更するための設定変更画面を表示する第２の表示制御工程を更に実行させることを特徴とする請求項１１乃至１８のいずれか１項に記載のプログラム。
【請求項２０】
前記設定変更画面は、前記外部装置が有する各ネットワークインタフェースの設定を変更する操作を受け付けることが可能に構成されていることを特徴とする請求項１９に記載のプログラム。
【請求項２１】
複数のネットワークインタフェースを有する外部装置と通信可能な情報処理装置の制御方法であって、
外部装置を探索する探索処理を行う探索工程と、
前記探索処理で見つかった外部装置から該外部装置を一意に識別するための識別情報と該外部装置の装置情報を取得する取得工程と、
前記取得工程で取得した装置情報に基づき前記探索処理で見つかった外部装置を選択するための選択画面を表示する表示制御工程と、
を有し、
前記表示制御工程では、同じ識別情報を有する２以上の外部装置が見つかった場合、当該見つかった同じ識別情報を有する２以上の外部装置を単一の選択候補として前記選択画面を表示することを特徴とする制御方法。
【手続補正２】
【補正対象書類名】明細書
【補正対象項目名】０００６
【補正方法】変更
【補正の内容】
【０００６】
本発明の目的は、情報処理装置が複数のインタフェースを有する画像形成装置の探索を行い、その探索結果からユーザが誤解することを防ぐことを目的とする。
【手続補正３】
【補正対象書類名】明細書
【補正対象項目名】０００７
【補正方法】変更
【補正の内容】
【０００７】
本発明の情報処理装置は、複数のネットワークインタフェースを有する外部装置と通信可能な情報処理装置であって、外部装置を探索する探索処理を行う探索手段と、前記探索手段による探索処理で見つかった外部装置から、該外部装置を一意に識別するための識別情報と該外部装置の装置情報を取得する取得手段と、前記取得手段で取得した装置情報に基づき前記探索処理で見つかった外部装置を選択するための選択画面を表示する表示制御手段と、を有し、前記表示制御手段は、同じ識別情報を有する２以上の外部装置が見つかった場合、当該見つかった同じ識別情報を有する２以上の外部装置を単一の選択候補として前記選択画面に表示することを特徴とする。